(57)【要約】      （修正有）【課題】作業者の取り扱い性に優れた、注入口付きアンカーピンの中玉を打ち込む打込み工具を提供する。【解決手段】打込み工具１は、注入口付きアンカーピンの中玉を打ち込む打込み工具１である。打込み工具１は、軸部２０を有する打込み棒２と、打込み棒２が固定される頭部１２と、頭部１２と一体に設けられ、軸部２０の中心軸Ｘに交差する方向に延びる把持部１１と、を含む。打込み棒２は、頭部１２に対し着脱可能である。取付キャップ３は、軸部２０を挿通した状態で取付部１３にねじ込んで、固定端を取付部１３との間で挟んで固定する。【選択図】図１
0003199764.tif 000002
【実用新案登録請求の範囲】
【請求項１】
注入口付きアンカーピンの中玉を打ち込む打込み工具であって、
軸部を有する打込み棒と、
前記打込み棒が固定される頭部と、
前記頭部と一体に設けられ、前記軸部の中心軸に交差する方向に延びる把持部と、
を含み、
前記打込み棒は、前記頭部に対し着脱可能である、打込み工具。
【請求項２】
請求項１において、
前記頭部から前記中心軸に沿って突出する、雄ねじを有する取付部と、
前記取付部の前記雄ねじに固定される、雌ねじを有する取付キャップと、
をさらに含み、
前記打込み棒は、前記軸部の一端に拡径して形成された固定端を含み、
前記取付キャップは、前記軸部を挿通した状態で前記取付部にねじ込んで、前記固定端を前記取付部との間で挟んで固定する、打込み工具。
【請求項３】
請求項１または２において、
前記頭部と前記把持部との間に柄部をさらに含み、
前記把持部及び前記柄部は、前記中心軸に直交する方向に延びる、打込み工具。
【請求項４】
請求項１〜３のいずれか１項において、
前記頭部は、前記打込み棒の取り付けられる側とは反対側に樹脂製の打撃部をさらに含む、打込み工具。
【考案の詳細な説明】
【技術分野】
【０００１】
本考案は、注入口付きアンカーピン用の打込み工具に関する。
【背景技術】
【０００２】
近年、建物の外壁や内壁において注入口付きアンカーピンを用いた施工方法が知られている（例えば、特許文献１）。
【０００３】
このような施工方法は、タイル仕上げになっている壁面におけるタイルの落下防止などに用いられる。具体的には、タイルを貫通して壁体内まで延びる穴を穿孔し、その穴に注入口付きアンカーピンを挿入し、アンカーピンの中に予め装填されている中玉（コーン）を専用の打込み棒で穴の奥まで打込んでアンカーピンを広げて、穴の内部にアンカーピンを固定する。そして、そのアンカーピンを介して壁体の隙間に接着剤を注入し、タイルと壁体とを強固に接合する。
【先行技術文献】
【特許文献】
【０００４】
【特許文献１】特開２００７−１７７４８４号公報
【考案の概要】
【考案が解決しようとする課題】
【０００５】
このような施工方法に用いられる打込み棒は、通常、１本の棒状の工具であり、一端がアンカーピンの孔に挿入できる細い軸部に形成され、他端がハンマーで打撃する軸部より太い打撃部を有する。しかしながら、このような棒状の工具は持ちにくい。例えば、打込み棒を持つ手でアンカーピンの孔が隠れて見にくいという問題があり、又アンカーピンの孔を見やすくするために作業時に指先でつまむように打込み棒を保持すると、今度は落としやすいという問題もある。
【０００６】
また、アンカーピンの種類は、メーカーによって多数の種類があり、その種類に応じて長さや太さの異なる打込み棒が用意されている。したがって、作業現場において採用したアンカーピンの種類に応じた打込み棒をそれぞれ用意しなければならない。さらに、アンカーピンの孔は比較的小さな直径であるため、打込み棒の軸部が細く変形しやすく、予備の打込み棒を別途用意する必要もある。
【０００７】
そこで、本考案のいくつかの態様に係る目的の１つは、作業者が持ちやすく、軸部を交換可能な注入口付きアンカーピン用の打込み工具を提供することにある。
【課題を解決するための手段】
【０００８】
［適用例１］
本適用例に係る打込み工具は、
注入口付きアンカーピンの中玉を打ち込む打込み工具であって、
軸部を有する打込み棒と、
前記打込み棒が固定される頭部と、
前記頭部と一体に設けられ、前記軸部の中心軸に交差する方向に延びる把持部と、
を含み、
前記打込み棒は、前記頭部に対し着脱可能である、ことを特徴とする。
【０００９】
本適用例に係る打込み工具によれば、打込み棒の中心軸と交差する方向に把持部が延び
るため、打込み棒の中心軸から離れた位置で把持することができ、作業者が持ちやすい。また、本適用例に係る打込み工具によれば、打込み工具から打込み棒を着脱可能としたことで、打込み棒を容易に交換できる。
【００１０】
［適用例２］
本適用例に係る打込み工具において、
前記頭部から前記中心軸に沿って突出する、雄ねじを有する取付部と、
前記取付部の前記雄ねじに固定される、雌ねじを有する取付キャップと、
をさらに含み、
前記打込み棒は、前記軸部の一端に拡径して形成された固定端を含み、
前記取付キャップは、前記軸部を挿通した状態で前記取付部にねじ込んで、前記固定端を前記取付部との間で挟んで固定してもよい。
【００１１】
本適用例に係る打込み工具によれば、打込み棒を取付キャップと取付部とによって確実に頭部に固定できる。しかも、取付キャップを回すだけで打込み棒を着脱できるので作業性が良い。
【００１２】
［適用例３］
本適用例に係る打込み工具において、
前記頭部と前記把持部との間に柄部をさらに含み、
前記把持部及び前記柄部は、前記中心軸に直交する方向に延びてもよい。
【００１３】
本適用例に係る打込み工具によれば、把持部が柄部を介することで作業者が軸部から離れた位置で把持することができるため作業性がよい。また、本適用例に係る打込み工具によれば、把持部と柄部が中心軸に直交する方向に延びているので、ハンマーと同様の要領で把持でき、初めて使用する作業者であっても違和感なく使用できる。
【００１４】
［適用例４］
本適用例に係る打込み工具において、
前記頭部は、前記打込み棒の取り付けられる側とは反対側に樹脂製の打撃部をさらに含んでもよい。
【００１５】
本適用例に係る打込み工具によれば、樹脂製の打撃部を設けることで、ハンマーで叩く際に、従来のような１本の金属製の打込み棒を叩くよりも、打撃音が壁体内すなわち室内に響きにくい。
【考案の効果】
【００１６】
本考案に係る打込み工具は、作業者が持ちやすく、軸部を交換可能な注入口付きアンカーピン用の打込み工具を提供することができる。
【図面の簡単な説明】
【００１７】
【図１】実施形態に係る打込み工具１の正面図である。
【図２】実施形態に係る打込み工具１の組立工程を説明する模式図である。
【図３】打込み棒２の正面図である。
【図４】取付キャップ３の縦断面図である。
【図５】アンカーピン５０ａ，５０ｂと打込み棒２ａ，２ｂの正面図である。
【図６】打込み工具１を用いた作業工程を説明する模式図である。
【図７】変形例に係る取付キャップ３ａの縦断面図と打込み棒２ｃ〜２ｅの正面図である。
【考案を実施するための形態】
【００１８】
以下、本考案の好適な実施形態について、図面を用いて詳細に説明する。なお、以下に説明する実施形態は、実用新案登録請求の範囲に記載された本考案の内容を不当に限定するものではない。また、以下で説明される構成の全てが本考案の必須構成要件であるとは限らない。
【００１９】
本実施形態に係る打込み工具は、注入口付きアンカーピンの中玉を打ち込む打込み工具であって、軸部を有する打込み棒と、前記打込み棒が固定される頭部と、前記頭部と一体に設けられ、前記軸部の中心軸に交差する方向に延びる把持部と、を含み、前記打込み棒は、前記頭部に対し着脱可能であることを特徴とする。
【００２０】
１．打込み工具の概要
まず、図１を用いて、本実施形態に係る打込み工具１の概要について説明する。図１は実施形態に係る打込み工具１の正面図である。
【００２１】
図１に示すように、打込み工具１は、注入口付きアンカーピン５０の中玉５１（図６参照）を打ち込む打込み工具１であって、軸部２０を有する打込み棒２と、打込み棒２が固定される頭部１２と、頭部１２と一体に設けられ、軸部２０の中心軸Ｘに交差する方向に延びる把持部１１と、を含む。中心軸Ｘは、棒状の軸部２０の中心線に沿って延びる仮想線である。中心軸Ｘに交差する方向は、把持部１１が中心軸Ｘから離れた位置に設定できる範囲で適宜定めることができる。
【００２２】
このように、打込み棒２の中心軸Ｘと交差する方向に把持部１１が延在するため、打込み棒２の中心軸Ｘから離れた位置で把持することができ、作業者が打込み工具１を持ちやすい。作業者が打込み工具１を持ちやすいということは、例えば、外壁の工事においては高所足場作業の際などに、工具の落下を防ぐことができる点で望ましい。
【００２３】
打込み工具１は、頭部１２と把持部１１との間に柄部１０をさらに含んでいる。柄部１０は、頭部１２から中心軸Ｘに交差する方向に沿って延在する。ここでは、把持部１１及び柄部１０は、中心軸Ｘに直交する方向に延びて存在する。そのため、打込み工具１は、柄部１０を含むことで作業者が軸部２０から離れた位置で把持することができるため作業性がよい。また、打込み工具１は、把持部１１と柄部１０が中心軸Ｘに直交する方向に延びているので、ハンマーと同様の要領で把持できるので初めて使用する作業者にとっても違和感なく使用できる。なお、直交する方向は、略直交する方向を含んでもよく、その場合には例えば中心軸Ｘに対して８０度〜１００度の範囲に設定してもよい。
【００２４】
頭部１２は、中心軸Ｘに沿って延びる略円柱状であり、その中心軸Ｘに沿った長さ方向の中心位置で柄部１０に接続して略Ｔ字状になる。頭部１２と柄部１０と把持部１１とは、樹脂または金属等で一体に成形される。頭部１２は、中心軸Ｘに沿った方向における一の端面側に打込み棒２が配置され、他の端面側に打撃部４が配置される。
【００２５】
打撃部４は、頭部１２における打込み棒２が取り付けられる側とは反対側にあり、樹脂製である。打撃部４が樹脂製であるので、ハンマーで打撃部４を叩く際の打撃音が、従来のような金属製の打込み棒を叩くよりも、小さく、特に、壁体内すなわち室内に響きにくい。このことは、建物の外壁タイルに対して施工するような場合に、大量のアンカーピンを打ち込む作業において住人への騒音を減らすことができる点で大きなメリットである。
【００２６】
把持部１１は、略円柱状の作業者が握りやすい形状であって、滑りにくい加工が施されることが望ましい。作業の効率の面から有利だからである。把持部１１の先端には貫通孔１５が設けられ、例えば、図６に示すようなロープやフックを取り付けることができる。
作業中に打込み工具１を落としてしまう事故を防止できる。
【００２７】
２．打込み棒の取付構造
図２は実施形態に係る打込み工具１の組立工程を説明する模式図であり、図３は打込み棒２の正面図であり、図４は取付キャップ３の縦断面図である。
【００２８】
図２に示すように、打込み棒２は、頭部１２に対し着脱可能である。このように、打込み工具１から打込み棒２を着脱可能としたことで、打込み棒２を容易に交換できる。
【００２９】
打込み棒２は、図２及び図３に示すように、軸部２０の一端に拡径して形成された固定端２１を含む。軸部２０は、細長い円柱状であって、中心軸Ｘに沿って延在する。軸部２０は、その先端２２から他端の固定端２１まで同じ太さを有する。固定端２１は、軸部２０より太く、中心軸Ｘに沿って延びる円柱状である。
【００３０】
取付キャップ３は一端から他端へ貫通する孔を有し、その孔が支持孔３０と支持孔３０より内径が大きい固定孔３１とを含む。取付キャップ３は、金属製である。取付キャップ３は円柱状であり、その中心軸に沿って支持孔３０及び固定孔３１が貫通している。また、取付キャップ３の外表面にスパナ掛け用の図示しない切欠き面を有していてもよい。取付キャップ３を作業者が回しやすくするためである。
【００３１】
支持孔３０の内径は、打込み棒２の軸部２０の外径よりわずかに大きく、図１のように打込み棒２を頭部１２に固定した際に、軸部２０を支持する。支持孔３０によって軸部２０のガタツキを防止し、作業時の軸部２０の変形を防止するためである。
【００３２】
固定孔３１は、打込み棒２の固定端２１の外径よりも大きく、内面に雌ねじを有する。
【００３３】
頭部１２には、取付部１３が固定されている。取付部１３は、頭部１２から中心軸Ｘに沿って突出し、その外周面に雄ねじを有する。取付部１３は、金属製で、頭部１２の内部に延びて頭部１２と一体的に成形されている。また、頭部１２は、取付部１３と反対側の面にも取付部１３と同じ形状の取付部が形成され（破線で示す）、その取付部に樹脂製の円筒状の打撃部４が螺合されている。
【００３４】
図２を用いて、打込み棒２を取付キャップ３によって頭部１２に固定する打込み工具１の組立工程について説明する。取付キャップ３は、打込み棒２の軸部２０を支持孔３０に挿通した状態で取付部１３の雄ねじにねじ込んで、固定端２１を取付部１３との間で挟んで固定する。取付キャップ３の端面３３が頭部１２の側面に接触するまでねじ込んでもよいし、端面３３と頭部１２の側面との間に図示しない回り止め用のパッキンを挟んでもよい。固定端２１は、固定孔３１と支持孔３０とを接続する段に形成された押え面３２に一方の面が接し、他方の面が取付部１３の先端に接し、両側から挟み込まれるようにして固定される。このように、打込み棒２は、取付キャップ３と取付部１３とによって確実に頭部１２に固定できる。
【００３５】
３．注入口付きアンカーピン
図５は、注入口付きアンカーピン５０ａ，５０ｂと打込み棒２ａ，２ｂの正面図である。
【００３６】
注入口付きアンカーピン５０ａ，５０ｂは、基本的に同じ構成を有するが、長さが異なる。長さは、使用する環境、例えば、モルタルの厚さ等によって適宜選択できる。
【００３７】
市販されている注入口付きアンカーピン５０ａ，５０ｂの種類はたくさんあるが、概略
すると図５に示すような略円筒状で、一方の端からスリット５２ａ，５２ｂが延び、内部に中玉（「コーン」と呼ばれることもある）５１ａ，５１ｂが配置される。そして、この中玉５１ａ，５１ｂを打込み棒２によって叩いて注入口付きアンカーピン５０ａ，５０ｂの先端側へ移動させると、スリット５２ａ，５２ｂが押し広げられる。広がったスリット５２ａ，５２ｂは、中玉５１ａ、５１ｂの存在によって再び閉じることは無い。また、広がったスリット５２ａ，５２ｂからモルタルとコンクリートの隙間に接着剤を送り込むことができる。
【００３８】
図５に示すように、打込み棒２の軸部２０の太さは、使用する注入口付きアンカーピン５０ａ，５０ｂの注入口に挿入するものであるので、注入口の開口径によって定まる。また、打込み棒２の軸部２０の長さも、使用する注入口付きアンカーピン５０ａ，５０ｂの長さによって定まる。注入口付きアンカーピン５０ａ，５０ｂの中に装填された中玉５１ａ，５１ｂを所定の位置まで打込む必要があるからである。
【００３９】
打込み棒２の軸部２０は、細いため、作業を繰り返すうちに変形や折損することがあるが、単純な形状の打込み棒２だけを交換すればよく、比較的安価で経済的に優れる。
【００４０】
また、打込み棒２は、使用する注入口付きアンカーピンの種類に応じて打込み工具１に交換して取り付ければよいため、小さな打込み棒２を複数種類準備すればよく、汎用性に優れる。なお、打込み棒２の軸部２０の太さが複数ある場合には、それに合わせて複数の内径の支持孔３０を有する取付キャップ３を準備する。
【００４１】
４．打込み作業
図６は、打込み工具１を用いた作業工程を説明する模式図である。
【００４２】
作業者は、例えば、右手にハンマー７を握り、左手に打込み工具１を握る。ここでは、既に建物の壁体のタイル８０及びモルタル８１を貫通し、コンクリート８２内まで延びるように穿孔された穴に注入口付きアンカーピン５０が挿入されている状態を断面図で示している。
【００４３】
注入口付きアンカーピン５０の内部には、黒く塗りつぶして示した中玉５１が配置されている。
【００４４】
作業者は、図６に示すように、打込み工具１の軸部２０を注入口付きアンカーピン５０に挿入する。このとき、従来であれば打込み棒を握っていた手でアンカーピンの孔が見えにくかったが、作業者は軸部２０から離れた位置の把持部１１を握っているので、容易に軸部２０をアンカーピンの孔に挿入することができる。
【００４５】
この状態で、樹脂製の打撃部４をハンマー７で叩くことにより、中玉５１を所定の位置まで移動させ、中玉５１の移動によってスリット５２が押し広げられてコンクリート８２に押し付けられる。図６のように注入口付きアンカーピン５０の外表面が凹凸を有していることでコンクリート８２に確実に食い込み、移動が制限できる。
【００４６】
５．変形例
図７を用いて変形例に係る取付キャップ３ａと打込み棒２ｃ〜２ｅについて説明する。図７は、変形例に係る取付キャップ３ａの縦断面図と打込み棒２ｃ〜２ｅの正面図である。
【００４７】
図７に示す取付キャップ３ａは、図４に示した取付キャップ３と基本的な構成は同じであるが、支持孔３０ａが支持孔３０よりも大きな内径（矢印で示す）を有する点が異なる
。支持孔３０ａの内径は、固定孔３１の内径より小さく、押え面３２が形成される範囲で設定される。
【００４８】
図７に示す打込み棒２ｃ〜２ｅは、図３に示した打込み棒２と基本的な構成は同じであるが、軸部２０ｃ〜２０ｅと固定端２１との間に被支持部２３を有する点で異なる。被支持部２３の外径（矢印で示す）は、軸部２０ｃ〜２０ｅより太く、固定端２１よりも細い。被支持部２３は円柱状で、その外径は支持孔３０ａの内径に等しいかそれよりわずかに小さい。また、被支持部２３の中心軸Ｘに沿った方向における長さは、取付キャップ３ａの支持孔３０ａの長さよりも長く、打込み工具１に取り付けられた状態で支持孔３０ａの全長に渡って被支持部２３の外面が確実に支持できる。例えば、被支持部２３は、取付キャップ３ａの先端から例えば１０ｍｍ程度突出する。
【００４９】
軸部２０ｃ〜２０ｅの形状は、被支持部２３の外径を超えない範囲で適宜設定できる。図示した例では、軸部２０ｄは、軸部２０ｃより太く長く、しかも被支持部２３へ向かうにつれて拡径しており、また、軸部２０ｅは、軸部２０ｃより細く短い。このように被支持部２３を設けることにより、その外径を超えない範囲、言い換えれば、取付キャップ３ａの支持孔３０ａの内径を超えない範囲で異なる形状の軸部２０ｃ〜２０ｅを同じ取付キャップ３ａによって図１，２に示す打込み工具１の頭部１２に取り付けることができる。したがって、注入口付きアンカーピンの種類に応じて複数種類の打込み棒２０ｃ〜２０ｅを準備しても、被支持部２３と支持孔３０ａを共通化しておくことにより、共通の取付キャップ３ａを適用できるため、作業者にとっても利便性が高い。
【００５０】
本考案は、上述した実施形態に限定されるものではなく、さらに種々の変形が可能である。例えば、本考案は、実施形態で説明した構成と実質的に同一の構成（例えば、機能、方法、及び結果が同一の構成、あるいは目的及び効果が同一の構成）を含む。また、本考案は、実施形態で説明した構成の本質的でない部分を置き換えた構成を含む。また、本考案は、実施形態で説明した構成と同一の作用効果を奏する構成又は同一の目的を達成することができる構成を含む。また、本考案は、実施形態で説明した構成に公知技術を付加した構成を含む。
【符号の説明】
【００５１】
１…打込み工具、２，２ａ，２ｂ，２ｃ，２ｄ，２ｅ…打込み棒、３，３ａ…取付キャップ、４…打撃部、７…ハンマー、１０…柄部、１１…把持部、１２…頭部、１３…取付部、２０，２０ａ，２０ｂ，２０ｃ，２０ｄ，２０ｅ…軸部、２１…固定端、２２…先端、２３…被支持部、３０，３０ａ…支持孔、３１…固定孔、３２…押え面、３３…端面、５０，５０ａ，５０ｂ…アンカーピン、５１，５１ａ，５１ｂ…中玉、５２，５２ａ，５２ｂ…スリット、８０…タイル、８１…モルタル、８２…コンクリート、Ｘ…中心軸
【図１】
0003199764.tif 000003
【図２】
0003199764.tif 000004
【図３】
0003199764.tif 000005
【図４】
0003199764.tif 000006
【図５】
0003199764.tif 000007
【図６】
0003199764.tif 000008
【図７】
0003199764.tif 000009